(57)【特許請求の範囲】
【請求項１】
複数の監視機器と、複数の前記監視機器各々と通信するサーバと、を有し、
前記監視機器は、
消費電流、消費電力及び入力電圧の中の少なくとも１つの測定データと、複数の既存電気機器各々の稼働時の特徴量を含む教師データと、複数の前記既存電気機器各々の設置環境に起因して前記測定データに現れる変動を校正するための前記既存電気機器毎の校正データと、に基づいて、前記測定データの中から、前記既存電気機器と異なる新規電気機器の前記特徴量を含む新規機器データを抽出する監視手段と、
前記既存電気機器の前記校正データに基づいて、前記新規電気機器の第１の校正データを生成する校正データ生成手段と、
前記第１の校正データに基づいて、前記新規機器データを校正する校正手段と、
前記新規電気機器の識別情報の入力を受付ける受付手段と、
前記新規電気機器の前記識別情報と、前記第１の校正データに基づいて校正された前記新規機器データと、を対応付けて、前記サーバに送信する送信手段と、
を有し、
前記サーバは、
複数の前記監視機器から、前記新規電気機器の校正後の前記新規機器データと、前記識別情報とを受信する受信手段と、
複数の前記監視機器各々から受信した前記新規電気機器の校正後の前記新規機器データに基づいて、前記新規電気機器の前記教師データを生成し、教師データ保存手段に登録する教師データ生成手段と、
を有する監視システム。
【請求項２】
請求項１に記載の監視システムにおいて、
前記教師データ生成手段は、
複数の前記監視機器各々から受信した前記新規電気機器の校正後の前記新規機器データに基づいて、前記新規電気機器の仮の特徴量を含む仮の教師データを生成する第１手段と、
前記仮の教師データを前記監視機器に送信する第２手段と、
を有し、
前記監視機器は、前記仮の教師データを受信する機器側受信手段をさらに有し、
前記校正データ生成手段は、前記仮の教師データと、前記新規機器データとに基づいて、これらのデータ間の差を打ち消す第２の校正データを生成し、
前記校正手段は、前記第２の校正データに基づいて、前記新規機器データを校正し、
前記送信手段は、前記新規電気機器の前記識別情報と、前記第２の校正データに基づいて校正された前記新規機器データと、を対応付けて、前記サーバに送信する監視システム。
【請求項３】
請求項２に記載の監視システムにおいて、
前記教師データ生成手段は、
前記第１手段及び前記第２手段を制御し、前記仮の教師データを生成する処理、及び、前記仮の教師データを前記監視機器に送信する処理を繰り返し実行させる第３手段をさらに有する監視システム。
【請求項４】
請求項３に記載の監視システムにおいて、
前記第３手段は、前記第１手段及び前記第２手段による前記処理を繰り返した後に得られた前記新規電気機器の前記仮の教師データを、前記新規電気機器の前記教師データとして決定する監視システム。
【請求項５】
請求項１から５のいずれか１項に記載の監視システムにおいて、
前記監視手段は、前記測定データと、前記教師データと、前記校正データと、に基づいて、複数の前記既存電気機器の稼働状態を推定するとともに、前記新規機器データを抽出する監視システム。
【請求項６】
請求項５に記載の監視システムにおいて、
前記サーバは、
前記新規電気機器の前記教師データを前記監視機器に送信する送信手段をさらに有し、
前記校正データ生成手段は、前記新規電気機器の前記教師データと、前記新規機器データとに基づいて、これらのデータ間の差を打ち消す第３の校正データを生成し、
前記監視手段は、さらに、前記新規電気機器の前記教師データと、前記第３の校正データとに基づいて、複数の前記既存電気機器及び前記新規電気機器の稼働状態を推定する監視システム。
【請求項７】
請求項１から６のいずれか１項に記載の監視システムにおいて、
前記監視機器は、
前記新規電気機器の前記新規機器データを抽出すると、前記新規電気機器の前記教師データが前記教師データ保存手段に保存されているか否かを前記サーバに問い合わせる問合手段と、
前記問い合わせの結果が、保存されていない、であった場合、前記送信手段による前記新規電気機器の前記識別情報と、前記第１の校正データに基づいて校正された前記新規機器データと、を対応付けて前記サーバに送信する処理が実行されるように制御する登録処理制御手段と、
をさらに有する監視システム。
【請求項８】
請求項１から７のいずれか１項に記載の監視システムにおいて、
前記監視機器は、
前記新規電気機器の前記新規機器データを抽出すると、前記新規電気機器の前記教師データが前記教師データ保存手段に保存されているか否かを前記サーバに問い合わせる問合手段と、
前記問い合わせの結果が、保存されている、であった場合、前記サーバから前記新規電気機器の前記教師データを受信するとともに、前記送信手段による前記新規電気機器の前記識別情報と、前記第１の校正データに基づいて校正された前記新規機器データと、を対応付けて前記サーバに送信する処理が実行されないように制御する登録処理制御手段と、
をさらに有する監視システム。
【請求項９】
消費電流、消費電力及び入力電圧の中の少なくとも１つの測定データと、複数の既存電気機器各々の稼働時の特徴量を含む教師データと、複数の前記既存電気機器各々の設置環境に起因して前記測定データに現れる変動を校正するための前記既存電気機器毎の校正データと、に基づいて、前記測定データの中から、前記既存電気機器と異なる新規電気機器の前記特徴量を含む新規機器データを抽出する監視手段と、
前記既存電気機器の前記校正データに基づいて、前記新規電気機器の第１の校正データを生成する校正データ生成手段と、
前記第１の校正データに基づいて、前記新規機器データを校正する校正手段と、
前記新規電気機器の識別情報の入力を受付ける受付手段と、
前記新規電気機器の前記識別情報と、前記第１の校正データに基づいて校正された前記新規機器データと、を対応付けて、サーバに送信する送信手段と、
を有する監視機器。
【請求項１０】
複数の監視機器と、複数の前記監視機器各々と通信するサーバと、を有し、
前記監視機器は、
消費電流、消費電力及び入力電圧の中の少なくとも１つの測定データと、複数の既存電気機器各々の稼働時の特徴量を含む教師データと、複数の前記既存電気機器各々の設置環境に起因して前記測定データに現れる変動を校正するための前記既存電気機器毎の校正データと、に基づいて、前記測定データの中から、前記既存電気機器と異なる新規電気機器の前記特徴量を含む新規機器データを抽出する監視手段と、
前記既存電気機器の前記校正データに基づいて、前記新規電気機器の第１の校正データを生成する校正データ生成手段と、
前記第１の校正データに基づいて、前記新規機器データを校正する校正手段と、
前記新規電気機器の識別情報の入力を受付ける受付手段と、
前記新規電気機器の前記識別情報と、前記第１の校正データに基づいて校正された前記新規機器データと、を対応付けて、前記サーバに送信する送信手段と、
を有し、
前記サーバは、
複数の前記監視機器から、前記新規電気機器の校正後の前記新規機器データと、前記識別情報とを受信する受信手段と、
複数の前記監視機器各々から受信した前記新規電気機器の校正後の前記新規機器データに基づいて、前記新規電気機器の前記教師データを生成し、教師データ保存手段に登録する教師データ生成手段と、
を有する監視システムのサーバ。
【請求項１１】
コンピュータを、
消費電流、消費電力及び入力電圧の中の少なくとも１つの測定データと、複数の既存電気機器各々の稼働時の特徴量を含む教師データと、複数の前記既存電気機器各々の設置環境に起因して前記測定データに現れる変動を校正するための前記既存電気機器毎の校正データと、に基づいて、前記測定データの中から、前記既存電気機器と異なる新規電気機器の前記特徴量を含む新規機器データを抽出する監視手段、
前記既存電気機器の前記校正データに基づいて、前記新規電気機器の第１の校正データを生成する校正データ生成手段、
前記第１の校正データに基づいて、前記新規機器データを校正する校正手段、
前記新規電気機器の識別情報の入力を受付ける受付手段、
前記新規電気機器の前記識別情報と、前記第１の校正データに基づいて校正された前記新規機器データと、を対応付けて、サーバに送信する送信手段、
として機能させるためのプログラム。
【請求項１２】
複数の監視機器と、複数の前記監視機器各々と通信するサーバと、を有し、
前記監視機器は、
消費電流、消費電力及び入力電圧の中の少なくとも１つの測定データと、複数の既存電気機器各々の稼働時の特徴量を含む教師データと、複数の前記既存電気機器各々の設置環境に起因して前記測定データに現れる変動を校正するための前記既存電気機器毎の校正データと、に基づいて、前記測定データの中から、前記既存電気機器と異なる新規電気機器の前記特徴量を含む新規機器データを抽出する監視手段と、
前記既存電気機器の前記校正データに基づいて、前記新規電気機器の第１の校正データを生成する校正データ生成手段と、
前記第１の校正データに基づいて、前記新規機器データを校正する校正手段と、
前記新規電気機器の識別情報の入力を受付ける受付手段と、
前記新規電気機器の前記識別情報と、前記第１の校正データに基づいて校正された前記新規機器データと、を対応付けて、前記サーバに送信する送信手段と、
を有する監視システムの前記サーバを、
複数の前記監視機器から、前記新規電気機器の校正後の前記新規機器データと、前記識別情報とを受信する受信手段、及び、
複数の前記監視機器各々から受信した前記新規電気機器の校正後の前記新規機器データに基づいて、前記新規電気機器の前記教師データを生成し、教師データ保存手段に登録する教師データ生成手段、
として機能させるプログラム。
【請求項１３】
コンピュータが、
消費電流、消費電力及び入力電圧の中の少なくとも１つの測定データと、複数の既存電気機器各々の稼働時の特徴量を含む教師データと、複数の前記既存電気機器各々の設置環境に起因して前記測定データに現れる変動を校正するための前記既存電気機器毎の校正データと、に基づいて、前記測定データの中から、前記既存電気機器と異なる新規電気機器の前記特徴量を含む新規機器データを抽出する監視工程と、
前記既存電気機器の前記校正データに基づいて、前記新規電気機器の第１の校正データを生成する校正データ生成工程と、
前記第１の校正データに基づいて、前記新規機器データを校正する校正工程と、
前記新規電気機器の識別情報の入力を受付ける受付工程と、
前記新規電気機器の前記識別情報と、前記第１の校正データに基づいて校正された前記新規機器データと、を対応付けて、サーバに送信する送信工程と、
を実行する監視機器の動作方法。
【請求項１４】
複数の監視機器と、複数の前記監視機器各々と通信するサーバと、を有し、
前記監視機器は、
消費電流、消費電力及び入力電圧の中の少なくとも１つの測定データと、複数の既存電気機器各々の稼働時の特徴量を含む教師データと、複数の前記既存電気機器各々の設置環境に起因して前記測定データに現れる変動を校正するための前記既存電気機器毎の校正データと、に基づいて、前記測定データの中から、前記既存電気機器と異なる新規電気機器の前記特徴量を含む新規機器データを抽出する監視手段と、
前記既存電気機器の前記校正データに基づいて、前記新規電気機器の第１の校正データを生成する校正データ生成手段と、
前記第１の校正データに基づいて、前記新規機器データを校正する校正手段と、
前記新規電気機器の識別情報の入力を受付ける受付手段と、
前記新規電気機器の前記識別情報と、前記第１の校正データに基づいて校正された前記新規機器データと、を対応付けて、前記サーバに送信する送信手段と、
を有する監視システムの前記サーバが、
複数の前記監視機器から、前記新規電気機器の校正後の前記新規機器データと、前記識別情報とを受信する受信工程と、
複数の前記監視機器各々から受信した前記新規電気機器の校正後の前記新規機器データに基づいて、前記新規電気機器の前記教師データを生成し、教師データ保存手段に登録する教師データ生成工程と、
を実行するサーバの動作方法。
【発明の詳細な説明】
【技術分野】
【０００１】
本発明は、監視システム、監視機器、サーバ、監視機器の動作方法、サーバの動作方法、及び、プログラムに関する。
【背景技術】
【０００２】
近年、スマートメーターなどの普及に伴い、所定の監視単位（各家庭、各会社、ビルの１つのフロア等で電力を消費する電気機器群）の総消費電力値（瞬時値等）をユーザに向けて提供する機能が標準化しつつある。所定の監視単位の総消費電力値だけでなく、所定の監視単位に含まれる電気機器各々の消費電力値（瞬時値等）も提供することにより、更にきめ細やかな節電対策を促すことが期待される。【０００３】
電気機器個別の消費電力値は、例えば各電気機器に測定器を取り付けることで把握することができる。しかし、この手段の場合、各電気機器に測定器を取り付ける作業負担が大きい。また、電気機器の数が増えるに従い測定器の数も増え、費用負担が大きくなる。【０００４】
特許文献１には、給電引き込み口や分電盤等の電源幹線部に測定器を設置し、当該測定器で測定した測定データ（総消費電流波形等）を利用して各電気機器の稼働状態を推定する技術が開示されている。当該技術では、予め、各電気機器の動作時の特徴量（教師特徴量）や、複数の電気機器が動作時の特徴量（教師特徴量）を用意しておく。そして、電源幹線部で測定された測定データから抽出された特徴量と、予め用意している教師特徴量とに基づいて、各電気機器の稼働状態を推定する。【０００５】
特許文献２には、各電気機器の動作時の特徴量を示す教師特徴量を生成する技術が開示されている。具体的には、被計測家屋内の電気機器を１つずつ動作させて所定のデータ（消費電流等）を個別に測定する。そして、測定した各電気機器のデータから特徴量を抽出し、抽出した特徴量を教師特徴量として保存する。【０００６】
関連する技術が、特許文献３及び４に開示されている。【０００７】
特許文献３には、ネットワーク上に存在する公開された電気機器の特徴量情報を利用して、電気機器の稼働状態を推定する技術が開示されている。例えば、電気機器の製造者や販売者等が、予めネットワーク上で電気機器の特徴量情報を公開することが開示されている。【０００８】
特許文献４には、電気機器の印加される電圧波形が変化しても高い精度で電気機器の稼働状況を推定できる技術が開示されている。当該技術では、電源電圧の変動に対する高調波電流の変動が基準よりも大きい区間以外の所定の区間のデータを利用して、電気機器の稼働状況を推定する。
【先行技術文献】
【特許文献】
【０００９】
【特許文献１】特許第３４０３３６８号公報
【特許文献２】特許第４４３３８９０号公報
【特許文献３】特開２０１０−２１０５７５号公報
【特許文献４】特開２０１３−４４７３６号公報
【発明の概要】
【発明が解決しようとする課題】
【００１０】
本発明者らは、複数の電気機器各々の教師データをサーバで一元管理しておき、各監視単位に対応して電気機器の稼働状態を推定する複数の監視装置各々に、サーバから教師データを提供する技術を検討した。当該技術によれば、特許文献１及び２に記載の技術に比べて、監視単位毎に教師データを用意するための負担を軽減できる。【００１１】
しかし、従来、効率的に、サーバで一元管理するための教師データを生成し、サーバに記憶させる手段が存在しなかった。特許文献３は、電気機器の製造者や販売者等が予めネットワーク上で電気機器の特徴量情報を公開する技術を開示している。当該技術の場合、電気機器の製造者や販売者等が、特徴量情報を生成する作業などを実行する必要があり、手間である。特許文献１、２及び４いずれも、当該問題を解決する手段を開示していない。【００１２】
本発明は、複数の電気機器各々の教師データをサーバで管理するための新たな技術を提供することを課題とする。
【課題を解決するための手段】
【００１３】
本発明によれば、
複数の監視機器と、複数の前記監視機器各々と通信するサーバと、を有し、
前記監視機器は、
消費電流、消費電力及び入力電圧の中の少なくとも１つの測定データと、複数の既存電気機器各々の稼働時の特徴量を含む教師データと、複数の前記既存電気機器各々の設置環境に起因して前記測定データに現れる変動を校正するための前記既存電気機器毎の校正データと、に基づいて、前記測定データの中から、前記既存電気機器と異なる新規電気機器の前記特徴量を含む新規機器データを抽出する監視手段と、
前記既存電気機器の前記校正データに基づいて、前記新規電気機器の第１の校正データを生成する校正データ生成手段と、
前記第１の校正データに基づいて、前記新規機器データを校正する校正手段と、
前記新規電気機器の識別情報の入力を受付ける受付手段と、
前記新規電気機器の前記識別情報と、前記第１の校正データに基づいて校正された前記新規機器データと、を対応付けて、前記サーバに送信する送信手段と、
を有し、
前記サーバは、
複数の前記監視機器から、前記新規電気機器の校正後の前記新規機器データと、前記識別情報とを受信する受信手段と、
複数の前記監視機器各々から受信した前記新規電気機器の校正後の前記新規機器データに基づいて、前記新規電気機器の前記教師データを生成し、教師データ保存手段に登録する教師データ生成手段と、
を有する監視システムが提供される。
【００１４】
また、本発明によれば、
消費電流、消費電力及び入力電圧の中の少なくとも１つの測定データと、複数の既存電気機器各々の稼働時の特徴量を含む教師データと、複数の前記既存電気機器各々の設置環境に起因して前記測定データに現れる変動を校正するための前記既存電気機器毎の校正データと、に基づいて、前記測定データの中から、前記既存電気機器と異なる新規電気機器の前記特徴量を含む新規機器データを抽出する監視手段と、
前記既存電気機器の前記校正データに基づいて、前記新規電気機器の第１の校正データを生成する校正データ生成手段と、
前記第１の校正データに基づいて、前記新規機器データを校正する校正手段と、
前記新規電気機器の識別情報の入力を受付ける受付手段と、
前記新規電気機器の前記識別情報と、前記第１の校正データに基づいて校正された前記新規機器データと、を対応付けて、サーバに送信する送信手段と、
を有する監視機器が提供される。
【００１５】
また、本発明によれば、
複数の監視機器と、複数の前記監視機器各々と通信するサーバと、を有し、
前記監視機器は、
消費電流、消費電力及び入力電圧の中の少なくとも１つの測定データと、複数の既存電気機器各々の稼働時の特徴量を含む教師データと、複数の前記既存電気機器各々の設置環境に起因して前記測定データに現れる変動を校正するための前記既存電気機器毎の校正データと、に基づいて、前記測定データの中から、前記既存電気機器と異なる新規電気機器の前記特徴量を含む新規機器データを抽出する監視手段と、
前記既存電気機器の前記校正データに基づいて、前記新規電気機器の第１の校正データを生成する校正データ生成手段と、
前記第１の校正データに基づいて、前記新規機器データを校正する校正手段と、
前記新規電気機器の識別情報の入力を受付ける受付手段と、
前記新規電気機器の前記識別情報と、前記第１の校正データに基づいて校正された前記新規機器データと、を対応付けて、前記サーバに送信する送信手段と、
を有し、
前記サーバは、
複数の前記監視機器から、前記新規電気機器の校正後の前記新規機器データと、前記識別情報とを受信する受信手段と、
複数の前記監視機器各々から受信した前記新規電気機器の校正後の前記新規機器データに基づいて、前記新規電気機器の前記教師データを生成し、教師データ保存手段に登録する教師データ生成手段と、
を有する監視システムのサーバが提供される。
【００１６】
また、本発明によれば、
コンピュータを、
消費電流、消費電力及び入力電圧の中の少なくとも１つの測定データと、複数の既存電気機器各々の稼働時の特徴量を含む教師データと、複数の前記既存電気機器各々の設置環境に起因して前記測定データに現れる変動を校正するための前記既存電気機器毎の校正データと、に基づいて、前記測定データの中から、前記既存電気機器と異なる新規電気機器の前記特徴量を含む新規機器データを抽出する監視手段、
前記既存電気機器の前記校正データに基づいて、前記新規電気機器の第１の校正データを生成する校正データ生成手段、
前記第１の校正データに基づいて、前記新規機器データを校正する校正手段、
前記新規電気機器の識別情報の入力を受付ける受付手段、
前記新規電気機器の前記識別情報と、前記第１の校正データに基づいて校正された前記新規機器データと、を対応付けて、サーバに送信する送信手段、
として機能させるためのプログラムが提供される。
【００１７】
また、本発明によれば、
複数の監視機器と、複数の前記監視機器各々と通信するサーバと、を有し、
前記監視機器は、
消費電流、消費電力及び入力電圧の中の少なくとも１つの測定データと、複数の既存電気機器各々の稼働時の特徴量を含む教師データと、複数の前記既存電気機器各々の設置環境に起因して前記測定データに現れる変動を校正するための前記既存電気機器毎の校正データと、に基づいて、前記測定データの中から、前記既存電気機器と異なる新規電気機器の前記特徴量を含む新規機器データを抽出する監視手段と、
前記既存電気機器の前記校正データに基づいて、前記新規電気機器の第１の校正データを生成する校正データ生成手段と、
前記第１の校正データに基づいて、前記新規機器データを校正する校正手段と、
前記新規電気機器の識別情報の入力を受付ける受付手段と、
前記新規電気機器の前記識別情報と、前記第１の校正データに基づいて校正された前記新規機器データと、を対応付けて、前記サーバに送信する送信手段と、
を有する監視システムの前記サーバを、
複数の前記監視機器から、前記新規電気機器の校正後の前記新規機器データと、前記識別情報とを受信する受信手段、及び、
複数の前記監視機器各々から受信した前記新規電気機器の校正後の前記新規機器データに基づいて、前記新規電気機器の前記教師データを生成し、教師データ保存手段に登録する教師データ生成手段、
として機能させるプログラムが提供される。
【００１８】
また、本発明によれば、
コンピュータが、
消費電流、消費電力及び入力電圧の中の少なくとも１つの測定データと、複数の既存電気機器各々の稼働時の特徴量を含む教師データと、複数の前記既存電気機器各々の設置環境に起因して前記測定データに現れる変動を校正するための前記既存電気機器毎の校正データと、に基づいて、前記測定データの中から、前記既存電気機器と異なる新規電気機器の前記特徴量を含む新規機器データを抽出する監視工程と、
前記既存電気機器の前記校正データに基づいて、前記新規電気機器の第１の校正データを生成する校正データ生成工程と、
前記第１の校正データに基づいて、前記新規機器データを校正する校正工程と、
前記新規電気機器の識別情報の入力を受付ける受付工程と、
前記新規電気機器の前記識別情報と、前記第１の校正データに基づいて校正された前記新規機器データと、を対応付けて、サーバに送信する送信工程と、
を実行する監視機器の動作方法が提供される。
【００１９】
また、本発明によれば、
複数の監視機器と、複数の前記監視機器各々と通信するサーバと、を有し、
前記監視機器は、
消費電流、消費電力及び入力電圧の中の少なくとも１つの測定データと、複数の既存電気機器各々の稼働時の特徴量を含む教師データと、複数の前記既存電気機器各々の設置環境に起因して前記測定データに現れる変動を校正するための前記既存電気機器毎の校正データと、に基づいて、前記測定データの中から、前記既存電気機器と異なる新規電気機器の前記特徴量を含む新規機器データを抽出する監視手段と、
前記既存電気機器の前記校正データに基づいて、前記新規電気機器の第１の校正データを生成する校正データ生成手段と、
前記第１の校正データに基づいて、前記新規機器データを校正する校正手段と、
前記新規電気機器の識別情報の入力を受付ける受付手段と、
前記新規電気機器の前記識別情報と、前記第１の校正データに基づいて校正された前記新規機器データと、を対応付けて、前記サーバに送信する送信手段と、
を有する監視システムの前記サーバが、
複数の前記監視機器から、前記新規電気機器の校正後の前記新規機器データと、前記識別情報とを受信する受信工程と、
複数の前記監視機器各々から受信した前記新規電気機器の校正後の前記新規機器データに基づいて、前記新規電気機器の前記教師データを生成し、教師データ保存手段に登録する教師データ生成工程と、
を実行するサーバの動作方法が提供される。
【発明の効果】
【００２０】
本発明によれば、複数の電気機器各々の教師データをサーバで管理するための新たな技術が実現される。
【図面の簡単な説明】
【００２１】
上述した目的、およびその他の目的、特徴および利点は、以下に述べる好適な実施の形態、およびそれに付随する以下の図面によってさらに明らかになる。【００２２】
【図１】本実施形態の装置のハードウエア構成の一例を概念的に示す図である。
【図２】本実施形態の作用効果を説明するための図である。
【図３】本実施形態の監視システムの全体模式図の一例である。
【図４】本実施形態のサーバ１０が管理する情報の一例を模式的に示す図である。
【図５】本実施形態の監視機器２０の機能ブロック図の一例である。
【図６】本実施形態の監視機器２０が管理する情報の一例を模式的に示す図である。
【図７】本実施形態の監視機器２０が管理する情報の一例を模式的に示す図である。
【図８】第１の校正データを生成する処理の一例を説明するための図である。
【図９】本実施形態の監視機器２０が出力する情報の一例を示す図である。
【図１０】本実施形態の監視機器２０の処理の流れの一例を示すフローチャートである。
【図１１】本実施形態のサーバ１０の機能ブロック図の一例である。
【図１２】本実施形態のサーバ１０の処理の流れの一例を示すフローチャートである。
【図１３】本実施形態の監視機器２０が管理する情報の一例を模式的に示す図である。
【図１４】本実施形態の監視機器２０が管理する情報の一例を模式的に示す図である。
【図１５】本実施形態の監視機器２０が出力する情報の一例を示す図である。
【図１６】本実施形態のサーバ１０の機能ブロック図の一例である。
【図１７】本実施形態の監視機器２０の機能ブロック図の一例である。
【図１８】本実施形態の監視機器２０の処理の流れの一例を示すフローチャートである。
【図１９】本実施形態のサーバ１０の機能ブロック図の一例である。
【図２０】本実施形態の監視システムの処理の流れの一例を示すシーケンス図である。
【図２１】本実施形態の監視機器２０の機能ブロック図の一例である。
【図２２】本実施形態の監視機器２０の処理の流れの一例を示すフローチャートである。
【図２３】本実施形態の監視システムの適用例を模式的に示す図である。
【発明を実施するための形態】
【００２３】
まず、本実施形態の装置のハードウエア構成の一例について説明する。本実施形態の装置が備える各部は、任意のコンピュータのＣＰＵ（Central Processing Unit）、メモリ、メモリにロードされたプログラム（あらかじめ装置を出荷する段階からメモリ内に格納されているプログラムのほか、ＣＤ（Compact Disc）等の記憶媒体やインターネット上のサーバ等からダウンロードされたプログラムも含む）、そのプログラムを格納するハードディスク等の記憶ユニット、ネットワーク接続用インタフェイスを中心にハードウエアとソフトウエアの任意の組合せによって実現される。そして、その実現方法、装置にはいろいろな変形例があることは、当業者には理解されるところである。
【００２４】
図１は、本実施形態の装置のハードウエア構成の一例を概念的に示す図である。図示するように、本実施形態の装置は、例えば、バス１０Ａで相互に接続されるＣＰＵ１Ａ、ＲＡＭ（Random Access Memory）２Ａ、ＲＯＭ（Read Only Memory）３Ａ、表示制御部４Ａ、ディスプレイ５Ａ、操作受付部６Ａ、操作部７Ａ、通信部８Ａ、補助記憶装置９Ａ等を有する。なお、図示しないが、その他、外部機器と有線で接続される入出力インタフェイス、マイク、スピーカ等の他の要素を備えてもよい。
【００２５】
ＣＰＵ１Ａは各要素とともに装置のコンピュータ全体を制御する。ＲＯＭ３Ａは、コンピュータを動作させるためのプログラムや各種アプリケーションプログラム、それらのプログラムが動作する際に使用する各種設定データなどを記憶する領域を含む。ＲＡＭ２Ａは、プログラムが動作するための作業領域など一時的にデータを記憶する領域を含む。補助記憶装置９Ａは、例えばＨＤＤ（Hard Disc Drive）であり、大容量のデータを記憶可能である。
【００２６】
ディスプレイ５Ａは、例えば、表示装置（ＬＥＤ（Light Emitting Diode）表示器、液晶ディスプレイ、有機ＥＬ（Electro Luminescence）ディスプレイ等）である。ディスプレイ５Ａは、タッチパッドと一体になったタッチパネルディスプレイであってもよい。表示制御部４Ａは、ＶＲＡＭ（Video RAM）に記憶されたデータを読み出し、読み出したデータに対して所定の処理を施した後、ディスプレイ５Ａに送って各種画面表示を行う。操作受付部６Ａは、操作部７Ａを介して各種操作を受付ける。操作部７Ａは、操作キー、操作ボタン、スイッチ、ジョグダイヤル、タッチパネルディスプレイ、キーボードなどを含む。通信部８Ａは、有線及び／又は無線で、インターネット、ＬＡＮ（Local Area Network）等のネットワークに接続し、他の電子機器と通信する。
【００２７】
以下、本実施の形態について説明する。なお、以下の実施形態の説明において利用する機能ブロック図は、ハードウエア単位の構成ではなく、機能単位のブロックを示している。これらの図においては、各装置は１つの機器により実現されるよう記載されているが、その実現手段はこれに限定されない。すなわち、物理的に分かれた構成であっても、論理的に分かれた構成であっても構わない。なお、同一の構成要素には同一の符号を付し、適宜説明を省略する。
【００２８】
＜第１の実施形態＞
まず本実施形態の監視システムの概要について説明する。本実施形態では、複数の電気機器を含む監視単位各々に対応して設けられた監視装置各々が、各監視単位に含まれる所定の電気機器の測定データを取得する。そして、監視装置は、当該測定データから特徴量を抽出し、必要な処理を行った後、当該データをサーバに送信する。サーバは、複数の監視装置から各種電気機器のデータを収集する。そして、サーバは、収集したデータに基づいて、各電気機器の教師データを生成する。このようにして、サーバは、各種電気機器の教師データを生成し、一元管理する。
【００２９】
その後、サーバは、複数の監視装置各々からの要求に応じて、所定の電気機器の教師データを各監視装置に提供する。そして、サーバから教師データを受信した監視装置は、受信した教師データを利用して、対応する監視単位に含まれる電気機器の稼働状態を推定する。
【００３０】
ところで、同じ電気機器を同じように動作させた時の測定データであっても、電気機器の設置環境が異なれば、測定データも変動する。結果、測定データから抽出される特徴量も変動する。図２に一例を示す。図２は、互いに異なる第１の設置環境及び第２の設置環境各々に置かれた同じ電気機器を、同じように動作させた時の測定データを示す。図示するように、互いの測定データは完全には一致せず、ずれが生じている。このような測定データ各々から抽出される特徴量の中には、互い異なる値となるものの含まれる。
【００３１】
測定データに変動をもたらす要因は様々であるが、例えば、各監視単位における配線の状態、具体的には、消費電流、消費電力、消費電圧等を測定する測定器と電気機器間の配線の長さ、分電盤から各電気機器が接続している各コンセントまでの長さ、分電盤からの分岐の数、各電気機器が備えるケーブルの長さ、コンセントと各電器機器間に延長コードが存在するか否か、延長コードが存在する場合その長さ等が考えられる。その他、同じ分岐に属し、配線を介して互いに接続された電気機器の数や種類や、測定器の種類、各監視単位の位置の周辺環境（例：周囲に変圧器、変電所、大規模電力消費施設等があるか否か、また、そこまでの距離等）等が考えられる。
【００３２】
監視単位毎に設けられた監視装置が取得した電気機器各々のデータを利用して各電気機器の教師データを生成し、当該教師データを複数の監視装置に提供して電気機器の稼働状態を推定させる場合、このような電気機器の設置環境に起因した測定データの変動を考慮する必要がある。これを考慮しなかった場合、サーバが管理している第１の電気機器の教師データの特徴量と、ある監視単位において測定される第１の電気機器の測定データから抽出される特徴量との間に差が生まれ得る。そして、その結果、当該監視単位における電気機器の稼働状態の推定精度が悪くなってしまう。
【００３３】
詳細は後述するが、本実施形態の監視システムは、電気機器の設置環境に起因した測定データの変動を考慮して、複数の電気機器各々の教師データを生成し、サーバで管理できるよう構成されている。
【００３４】
なお、監視単位は、当該単位における総消費電流、総消費電力及び総入力電圧の中の少なくとも１つを測定できればよく、その定め方は設計的事項である。例えば、１つの分電盤から電力供給を受ける電気機器群（分電盤単位）を１つの監視単位としてもよい。又は、分電盤の１つの分岐で電力供給を受ける電気機器群（分電盤の分岐単位）や、１つのコンセントから電力供給を受ける電気機器群（コンセント単位）や、１つのテーブルタップから電力供給を受ける電気機器群（テーブルタップ単位）等を、１つの監視単位とすることもできる。コンセント単位、テーブルタップ単位の場合、コンセントやテーブルタップに測定センサを設置することで、これら単位で総消費電流、総消費電力及び総入力電圧の中の少なくとも１つを測定することができる。その他、電力をデジタルで計測し、メーター内に通信機能を持たせた電力量計（スマートメーター：Smart Meter）により電力値や電流値を測定される電気機器群を１つの監視単位（スマートメーター単位）としてもよい。
【００３５】
ここで、本実施形態の監視システムの全体像を説明する。図３は、本実施形態の監視システムの全体模式図を示す。図３に示すように、本実施形態の監視システムは、インターネット、ＬＡＮ等のネットワーク３０に接続したサーバ１０と、複数の監視機器２０とを有する。
【００３６】
図２３に、図３に示す本実施形態の監視システムの適用例を示す。図２３の場合、分電盤４０を介して電力供給を受ける複数の電気機器６０が１つの監視単位となる。監視機器２０は、監視単位に含まれる複数の電気機器６０と同じエリアに設置されている。そして、監視機器２０は、分電盤４０に設置された測定器５０から、測定データを取得するよう構成されている。
【００３７】
サーバ１０は、複数の電気機器各々の教師データを管理している。教師データは、各電気機器が稼働している時に測定データに現れる特徴量を含む。そして、サーバ１０は、監視機器２０からの要求に応じて、所定の電気機器の教師データを、監視機器２０に送信する。
【００３８】
図４に、サーバ１０に蓄積されている教師データの一例を示す。図４に示す情報は、サーバ１０に蓄積されている複数の教師データ各々を識別するための教師データＩＤと、複数の電気機器各々を識別するための電気機器ＩＤ（型番など）と、各電気機器が稼働時に測定データに現れる特徴量とを互いに対応付けている。
【００３９】
特徴量は、消費電流、入力電圧及び消費電力の中の少なくとも１つの測定データ（波形データ）を用いて特定可能な特徴量であり、例えば、消費電流の周波数強度・位相（高調波成分）、位相、消費電流の変化、平均値、ピーク値、実効値、波高率、波形率、電流変化の収束時間、通電時間、ピークの位置、電圧のピーク位置と消費電流のピーク位置との間の時間差、力率などであってもよい。なお、特徴量はここでの例示に限定されない。
【００４０】
図３に戻り、監視機器２０は、監視単位毎に設けられる。そして、監視機器２０は、監視単位に含まれる電気機器の稼働状態を推定する。具体的には、監視機器２０は、自機が監視する監視単位に含まれる電気機器各々の教師データをサーバ１０から取得し、保持する。また、監視機器２０は、電気機器毎に、電気機器各々の設置環境に起因して測定データに現れる変動を校正するための校正データを保持している。校正データは、サーバ１０から取得した各電気機器の教師データに含まれる特徴量、及び、各設置環境下で測定された各電気機器の測定データから抽出される特徴量間の差をなくす方向に少なくとも一方の特徴量を校正するためのデータである。
【００４１】
そして、監視機器２０は、所定の監視単位における総消費電流、総消費電力及び総入力電圧の中の少なくとも１つを含む測定データ（波形データ）を取得すると、当該測定データと、上記教師データと、上記校正データとを利用して、電気機器の稼働状態を推定する。
【００４２】
ところで、監視単位内に新たな電気機器（以下、「新規電気機器」）が追加され、その新規電気機器の成分が測定データに含まれていると、監視機器２０は当該新規電気機器の教師データを保持していないため、監視単位に含まれる電気機器の稼働状態を推定できなくなる。
【００４３】
例えば、電気機器Ａ乃至Ｃのみが同時に稼働している時、測定データからは、電気機器Ａ乃至Ｃの特徴量を足し合わせた特徴量が抽出される。このため、保持している電気機器各々の特徴量を校正後、任意の組み合わせで足し合わせ、測定データから抽出した特徴量と比較していくことで、いずれの電気機器が稼働しているのかを特定することができる。しかし、稼働している電気機器の中に、教師データを含まない新規電気機器の成分が含まれている場合、保持している電気機器各々の特徴量をどのような組み合わせで足し合わせても、測定データから抽出された特徴量とマッチングしない。
【００４４】
監視機器２０は、このような電気機器の稼働状態を推定できない状態を検出すると、新たな電気機器（新規電気機器）が監視単位に追加されたと判断する。ところで、監視単位に新たに追加された新規電気機器は、新たに市場に出された新商品である可能性がある。そして、サーバ１０は、このような新商品の教師データを保持していない可能性がある。そこで、監視機器２０は、新規電気機器が監視単位に追加されたことを検出すると、当該新規電気機器に関するデータを測定データから抽出し、サーバ１０に送信する。
【００４５】
例えば、監視機器２０は、稼働状態を推定できなくなった時点の前後の測定データの差を算出することで、当該新規電気機器の測定データ（波形データ）を取得する。そして、監視機器２０は当該測定データから特徴量を抽出する。このようにして、監視機器２０は、新規電気機器の特徴量を取得することができる。
【００４６】
その後、監視機器２０は、監視単位に含まれる既存の電気機器の校正データに基づいて、新規電気機器用の第１の校正データを生成する。このように生成される校正データは、新規電気機器の設置環境を完全に反映した内容とはいえない。しかし、同じ監視単位に含まれる電気機器の設置環境は、互いに類似したり共通したりする部分がある。このため、同じ監視単位に含まれる既存の電気機器の校正データに基づくことで、ある程度精度の高い新規電気機器用の校正データを生成することができる。監視機器２０は、新規電気機器用の第１の校正データを生成すると、当該第１の校正データを利用して新規電気機器の特徴量を校正する。
【００４７】
また、監視機器２０は、ユーザから新たに追加された新規電気機器の識別情報の入力を受付ける。そして、監視機器２０は、新規電気機器の校正後の特徴量と、ユーザから入力された新規電気機器の識別情報とを対応付けて、サーバ１０に送信する。
【００４８】
サーバ１０は、複数の監視機器２０からこのように送信されてきた新規電気機器の校正後の特徴量を取得する。そして、サーバ１０は、取得した校正後の特徴量を利用し、例えば複数の監視機器２０から取得した複数の校正後の特徴量に対して平均化等の処理を行って、当該新規電気機器の教師データを新たに生成する。以上のようにして、サーバ１０に複数の電気機器の教師データが蓄積されていく。
【００４９】
次に、監視機器２０及びサーバ１０各々の構成について、詳細に説明する。
【００５０】
図５に、監視機器２０の機能ブロック図の一例を示す。図５に示すように、監視機器２０は、監視部２１と、校正データ生成部２２と、校正部２３と、受付部２４と、送信部２５とを有する。以下、各部について説明する。
【００５１】
監視部２１は、監視単位に含まれる複数の電気機器各々の稼働時の特徴量を含む教師データと、複数の電気機器各々の設置環境に起因して測定データに現れる変動を校正するための電気機器毎の校正データとを保持している。以下、監視部２１が教師データ及び校正データを保持している電気機器を、「既存電気機器」という。
【００５２】
また、監視部２１は、監視単位における総消費電流、総消費電力及び総入力電圧の中の少なくとも１つの測定データ（波形データ）を、測定装置から取得する。測定装置は、分電盤、コンセント、テーブルタップ等に設置されていてもよい。また、測定装置は、いわゆるスマートメーターであってもよい。
【００５３】
そして、監視部２１は、測定データから抽出した所定の特徴量と、予め保持している教師データ及び校正データとに基づいて、測定データの中から、既存電気機器と異なる電気機器（新規電気機器）の成分（特徴量）を含んだデータ（新規機器データ）を抽出する。本実施形態においては、新規機器データは、新規機器データの稼働時の特徴量である。
【００５４】
以下、監視部２１による上記当該処理について詳細に説明する。
【００５５】
まず、図６に、監視部２１が保持する教師データ及び校正データの一例を模式的に示す。図６に示すデータは、教師データＩＤと、電気機器ＩＤと、機器名称と、当該電気機器の稼働時の特徴量と、当該電気機器の校正データとが対応付けられている。当該データは、サーバ１０から取得したデータ等に基づいて生成される。以下、監視部２１が図６に示すデータを生成する処理の一例を説明するが、これに限定されない。
【００５６】
例えば、監視機器２０がある監視単位に対応して設置されたとき、監視機器２０は、当該監視単位に含まれる電気機器の電気機器ＩＤ（型番など）を取得する。例えば、監視機器２０は、ユーザから電気機器ＩＤの入力を受付けてもよい。その他、監視機器２０と電気機器との間で無線及び／又は有線での通信が可能であれば、監視機器２０は、当該通信を介して、電気機器各々から電気機器ＩＤを取得してもよい。
【００５７】
監視機器２０は、電気機器ＩＤを取得すると、取得した電気機器ＩＤを付して、教師データの要求をサーバ１０に送信する。サーバ１０は、当該要求に応じて、自記憶装置内を検索する（図４参照）。そして、サーバ１０は、要求に含まれている電気機器ＩＤに対応付けられている教師データを取り出して、監視機器２０に返信する。監視部２１は、このようにして取得された複数の電気機器の教師データを保存する。
【００５８】
次に、監視部２１は、取得した教師データを利用して、電気機器毎に校正データを生成する。例えば、監視部２１は、ユーザが電気機器を個別に動作させることで得られた電気機器毎の測定データを取得する。そして、監視部２１は、当該測定データから特徴量を抽出する。その後、監視部２１は、予め定められた所定のアルゴリズムに従い、教師データに含まれる第１の電気機器の特徴量と、測定データから得られた第１の電気機器の特徴量との差をなくすための校正データを生成する。校正データは、関数であってもよい。例えば、一方の特徴量に所定の係数を掛ける一次関数であってもよいし、二次以上の関数であってもよい。なお、校正データは、逆変換可能な関数であってもよい。
【００５９】
また、監視部２１は、電気機器毎に、電気機器各々を識別する名称をユーザから受付けることができる。当該名称は、例えば各電気機器の稼働状態をユーザに通知する際に使用される。以上のようにして得られた情報に基づいて、監視部２１は、図６に示すデータを生成し、管理する。
【００６０】
次に、監視部２１が、測定データの中から、新規電気機器の成分（特徴量）を含んだデータ（新規機器データ）を抽出する処理例について説明する。
【００６１】
例えば、監視部２１は、図６に示すような教師データ及び校正データと、測定装置から取得した測定データ（波形データ）とに基づいて、監視単位に含まれる複数の既存電気機器の稼働状態を推定することができる。例えば、監視部２１は、測定データから所定の特徴量を抽出する。この特徴量は、その時点で稼働している１つの電気機器の稼働時の特徴量、又は、その時点で稼働している複数の電気機器各々の稼働時の特徴量を足し合わせたものである。
【００６２】
また、監視部２１は、教師データに含まれる各電気機器の特徴量を各電気機器の校正データで校正した校正後の特徴量を得る。なお、監視部２１は、予め各電気機器の校正後の特徴量を算出し、保持しておいてもよい。そして、監視部２１は、校正後の特徴量を任意の電気機器の組み合わせで足し合わせた特徴量を得る。なお、監視部２１は、このような足し合わせた特徴量を予め保持しておいてもよい。
【００６３】
図７に、足し合わせた特徴量の一例を示す。図７に示すデータは、各電気機器の教師データを合算して生成された合算教師データ各々を識別するための合算教師データＩＤと、各合算教師データの基となった２つ以上の教師データＩＤと、校正後の特徴量を足し合わせた特徴量とが対応付けられている。
【００６４】
そして、監視部２１は、測定データから抽出した特徴量と、教師データ（各電気機器の校正後の教師データ及び合算教師データを含む）に含まれる特徴量とを照合等し、マッチングする教師データを特定する。例えば、監視部２１は、教師データ（各電気機器の校正後の教師データ及び合算教師データを含む）を用いて生成された推定モデルに測定データから抽出した特徴量を入力し、推定結果（照合結果）として、マッチングした教師データ（各電気機器の校正後の教師データ及び合算教師データを含む）のＩＤを得る。推定モデルは、例えば、重回帰分析、ニューラルネットワーク、サポートベクターマシン等を用いたものとできる。
【００６５】
結果、監視部２１は、その時点で、稼働している電気機器を特定することができる。そして、監視機器２０は、例えば、図９に示すような情報を出力することができる。図９では、稼働している電気機器の機器名称（図６参照）と、総消費電力とが表示されている。
【００６６】
ところで、監視単位内に新たな電気機器（新規電気機器）が追加されると、その新規電気機器の成分が測定データに含まれ得ることとなる。しかし、監視部２１は当該新規電気機器の教師データを保持していない。このため、測定データに新規電気機器の成分が含まれている場合、監視部２１は、監視単位に含まれる電気機器の稼働状態を推定できなくなる。すなわち、監視部２１は、マッチングする教師データ（各電気機器の校正後の教師データ及び合算教師データを含む）が存在しないという結果を得ることとなる。
【００６７】
監視部２１は、このような電気機器の稼働状態を推定できない状態を検出すると、新規電気機器が監視単位に追加されたと判断する。例えば、監視部２１は、上記推定モデルに測定データから抽出した特徴量を入力して得られた推定結果が、マッチングする教師データ（各電気機器の校正後の教師データ及び合算教師データを含む）が存在しないというものである場合、新規電気機器が監視単位に追加されたと判断してもよい。なお、監視部２１は、電気機器の稼働状態を推定できない状態の検出回数や、検出頻度等を算出し、その値が所定の閾値を超えた時に、新規電気機器が監視単位に追加されたと判断してもよい。
【００６８】
新規電気機器が監視単位に追加されたと判断した後、監視部２１は、例えば、電気機器の稼働状態を推定できていた状態から、電気機器の稼働状態を推定できなくなった状態に変化した境目を特定し、その時点の前後の測定データ（電気機器の稼働状態を推定できていた状態の測定データ、及び、電気機器の稼働状態を推定できなくなった状態の測定データ）の差を算出することで、新規電気機器の測定データ（波形データ）を得ることができる。そして、監視部２１は、当該測定データ（波形データ）から所定の特徴量を抽出することで、新規電気機器の特徴量を含む新規機器データを得ることができる。
【００６９】
図５に戻り、校正データ生成部２２は、監視部２１が新規機器データを抽出すると、それに応じて、既存電気機器の校正データに基づき、新規電気機器の第１の校正データを生成する。例えば、校正データ生成部２２は、複数の既存電気機器の校正データの中の所定の１つを、新規電気機器の第１の校正データとして決定してもよい。その他、校正データ生成部２２は、複数の既存電気機器の一部又は全部の校正データを平均化したものを、新規電気機器の第１の校正データとして決定してもよい。
【００７０】
ここで、校正データ生成部２２が、複数の既存電気機器の校正データの中の所定の１つを、新規電気機器の第１の校正データとして決定する処理の一例について説明する。
【００７１】
例えば、校正データ生成部２２は、以下の（１）乃至（４）の処理により実現してもよい。
（１） 電流の瞬間波形の最大値を求める。
（２） 電流の瞬間波形の最大値で、電流の瞬間波形を規格化する。
（３） 規格化した電流の瞬間波形と予め保持している既存電気機器各々の瞬間波形を誤差関数で比較する。
（４） 誤差関数の値が最も小さかった既存電気機器の校正関数を選ぶ。
【００７２】
図８に具体例を示す。機器Ｘは新規電気機器であり、機器Ａ乃至Ｃは既存電気機器である。図８に示す例の場合、上記（１）乃至（４）の処理により、機器Ａが選択される。そして、機器Ａの校正データが、機器Ｘの第１の校正データとして決定される。誤差関数は例えば、差分絶対値の平均値や、差分２乗和の平均値などであるが、Ｎ乗和の絶対値の平均値など、これ以外の値をとっても構わない。
【００７３】
図５に戻り、校正部２３は、校正データ生成部２２が生成した第１の校正データに基づいて、監視部２１が抽出した新規機器データ（特徴量）を校正する。すなわち、校正部２３は、監視単位で測定された測定データから抽出された特徴量（新規機器データ）を、サーバ用に校正する。校正データが逆変換可能な関数である場合、サーバで管理されている特徴量を所定の監視単位用（所定の設置環境用）に校正することもできるし、所定の監視単位（所定の設置環境）で測定された測定データから抽出された特徴量をサーバ用に校正することもできる。例えば、校正データが、教師データの特徴量に所定の係数を掛けることで各設置環境用に校正する一次関数である場合、所定の設置環境で測定された測定データから抽出された特徴量に当該係数の逆数を掛けることで、サーバ用（教師データ用）に校正することができる。
【００７４】
受付部２４は、監視部２１が新規機器データを抽出すると、それに応じて、新規電気機器の識別情報（電気機器ＩＤ）の入力を受付ける。入力を受付ける手段は特段制限されない。例えば、受付部２４は、監視機器２０が有するディスプレイ又は監視機器２０と繋がったディスプレイを介して、「新たに設置した電気機器の型番を入力してください」などの情報を出力し、新規電気機器の電気機器ＩＤの入力をユーザに促してもよい。そして、監視機器２０が有する例えばタッチパネルディスプレイや操作ボタン等の入力装置を介して、ユーザから所定の情報の入力を受付けてもよい。その他、監視機器２０と電気機器との間で無線及び／又は有線での通信が可能であれば、監視機器２０は、当該通信を介して、電気機器各々から電気機器ＩＤを取得し、管理しておいてもよい。そして、管理している電気機器ＩＤに該当しない新たな電気機器ＩＤを取得すると、それを新規電気機器の電気機器ＩＤと認識してもよい。
【００７５】
送信部２５は、受付部２４が入力を受付けた新規電気機器の識別情報（電気機器ＩＤ）と、第１の校正データに基づいて校正された新規機器データ（特徴量）と、を対応付けて、サーバ１０に送信する。
【００７６】
図１０は、本実施形態の監視機器２０の処理の流れの一例を示すフローチャートである。
【００７７】
監視部２１が新規機器データ（新たに監視単位に設置された電気機器の特徴量）を抽出すると（Ｓ１１のＹｅｓ）、以降の処理がスタートする。監視部２１が新規機器データを抽出しない間（Ｓ１１のＮｏ）、待ち状態となる。
【００７８】
監視部２１が新規機器データを抽出すると（Ｓ１１のＹｅｓ）、校正データ生成部２２が第１の校正データを生成する（Ｓ１２）。そして、校正部２３は、Ｓ１２で生成された第１の校正データを利用して、Ｓ１１で抽出された新規機器データを校正する（Ｓ１３）。
【００７９】
また、受付部２４は、新規電気機器の識別情報（電気機器ＩＤ）の入力を受付ける（Ｓ１４）。なお、Ｓ１２及びＳ１３の処理と、Ｓ１４の処理の順番は、逆でもよい。
【００８０】
その後、送信部２５は、Ｓ１３で校正された校正後の新規機器データと、Ｓ１４で受付けた新規電気機器の識別情報（電気機器ＩＤ）とを対応付けて、サーバ１０に送信する（Ｓ１５）。
【００８１】
次に、サーバ１０について説明する。図１１に、サーバ１０の機能ブロック図の一例を示す。図１１に示すように、サーバ１０は、受信部１１と、教師データ生成部１２と、教師データ保存部１３とを有する。
【００８２】
受信部１１は、複数の監視機器２０から、新規電気機器の校正後の新規機器データ（特徴量）と、識別情報（電気機器ＩＤ）とを受信する。
【００８３】
教師データ生成部１２は、複数の監視機器２０各々から受信した新規電気機器の校正後の新規機器データ（特徴量）に基づいて、新規電気機器の教師データを生成し、教師データ保存部１３に登録する。
【００８４】
例えば、教師データ生成部１２は、複数の監視機器２０各々から受信した新規電気機器の校正後の新規機器データ（特徴量）を、電気機器ＩＤが一致するものでグループ化する。そして、グループごとに、複数の校正後の新規機器データ（特徴量）に対して所定の統計処理を行い、代表値（特徴量）を決定する。例えば、教師データ生成部１２は、複数の校正後の新規機器データ（特徴量）のすべて又は一部を処理対象とし、それらの平均値、最頻値、中央値、最大値、最小値等を、代表値として算出してもよい。
【００８５】
教師データ生成部１２は、このようにして決定した各グループの代表値と、各グループの電気機器ＩＤとを対応付けた教師データを生成し、教師データ保存部１３に登録する（図４参照）。
【００８６】
図１２は、本実施形態のサーバ１０の処理の流れの一例を示すフローチャートである。
【００８７】
まず、受信部１１は、複数の監視機器２０から、新規電気機器の校正後の新規機器データ（特徴量）と、識別情報（電気機器ＩＤ）とを受信する（Ｓ２１）。受信したデータは、例えば、電気機器ＩＤが一致するものごとにグループ化され、蓄積されていく。
【００８８】
次に、校正データ生成部２２は、複数の監視機器２０各々から受信した新規電気機器の校正後の新規機器データ（特徴量）に基づいて、新規電気機器の教師データを生成する（Ｓ２２）。例えば、校正データ生成部２２は、上記グループのうち、蓄積されたデータ数が所定数を超えたグループを、処理対象とする。そして、校正データ生成部２２は、処理対象のグループに含まれる所定数以上の特徴量のすべて又は一部を処理対象とし、それらの統計値（例：平均値、最頻値、中央値、最大値、最小値等）を、代表値として算出する。そして、校正データ生成部２２は、このようにして決定した各グループの代表値と、各グループの電気機器ＩＤとを対応付けた教師データを生成する。
【００８９】
その後、校正データ生成部２２は、Ｓ２２で生成した教師データを、教師データ保存部１３に登録する（Ｓ２３）。
【００９０】
以上説明した本実施形態によれば、サーバ１０は、教師データを生成するためのデータを複数の監視機器２０から収集することができる。そして、サーバ１０は、収集したデータに基づいて、所定の教師データを生成することができる。このように、本実施形態によれば、複数の電気機器各々の特徴量を含む教師データをサーバで管理するための新たな技術が実現される。
【００９１】
また、本実施形態では、サーバ１０は、所定の校正データ（第１の校正データ）で校正された後のデータ（特徴量）を各監視機器２０から取得することができる。すなわち、サーバ１０は、互いに異なる設置環境におかれた電気機器群を監視対象とする監視機器２０各々から、各設置環境下で得られた新規電気機器の特徴量を取得するのでなく、これを、所定の基準設置環境下で測定された場合の値に校正した後の特徴量を取得する。そして、サーバ１０は、このような校正後の特徴量に基づいて、各電気機器の教師データを生成する。このため、本実施形態によれば、所定の基準設置環境下で測定された場合の特徴量を含む教師データを生成することが可能となる。
【００９２】
「第１の変形例」
以上説明した実施形態では、各電気機器に、各電気機器の稼働時の特徴量を含む１つの教師データが対応していた。この変形例として、各電気機器に、各電気機器が取り得る複数の状態各々に対応した特徴量を含む複数の教師データが対応付けられてもよい。図１３に、監視部２１が保持する当該変形例の教師データを示す。教師データＩＤ、電気機器ＩＤ、機器名称、校正データは、図６に示す例と同様である。当該例では、各電気機器が消費し得る電力値帯を、所定の電力値幅で複数のグループに分ける。そして、グループごとに代表値（例：中央値等）、及び、特徴量を対応付ける。図示する「消費電力」の欄には、各グループ（各状態）の代表値が記載されている。図１４は、このような教師データに基づいて生成された合算教師データである。当該変形例の場合、監視部２１は、監視単位の電気機器の稼働状態として、稼働中の電気機器を特定するとともに、その電気機器の消費電力を特定することができる。結果、例えば、図１５に示すような情報をユーザに向けて提供することができる。
【００９３】
当該変形例の場合、監視部２１は、例えば上述と同様の手法で新規電気機器の測定データ（波形データ）を得ると、当該測定データに基づいて新規電気機器の特徴量を抽出するとともに、当該新規電気機器が消費している電力値を算出する。そして、送信部２５は、新規電気機器の識別情報（電気機器ＩＤ）と、第１の校正データに基づいて校正された新規機器データ（特徴量）と、監視部２１が算出した消費電力値とを対応付けて、サーバ１０に送信する。サーバ１０は、電気機器ＩＤが一致し、かつ、消費電力値が同じ電力値帯（例：０Ｗから５Ｗ幅で設定された複数の電力値帯の中のいずれか）に含まれる新規機器データ（特徴量）ごとにグループ化し、教師データを生成する。このような変形例においても、同様の作用効果が実現される。なお、当該変形例は、以下のすべての実施形態において適用可能である。
【００９４】
「第２の変形例」
前記実施形態では、「新規電気機器の測定データ（波形データ）から特徴量を抽出し、新規機器データを生成する処理」、「既存電気機器の校正データに基づいて第１の校正データを生成する処理」、及び、「第１の校正データに基づいて、新規機器データ（特徴量）を校正する処理」のすべてを、監視機器２０が行っていた。しかし、これらの一部又は全部を、サーバ１０が行ってもよい。
【００９５】
例えば、サーバ１０は、監視機器２０から新規電気機器の測定データ（波形データ）を受信してもよい。そして、受信した新規電気機器の測定データ（波形データ）から、所定の特徴量を抽出してもよい。なお、新規電気機器の測定データ（波形データ）は、所定の圧縮処理により圧縮された後に、監視機器２０からサーバ１０に送信されてもよい。
【００９６】
また、サーバ１０は、監視機器２０ごとに、各監視機器２０が保持している既存電気機器の校正データを予め保存しておいてもよい。そして、当該校正データに基づいて、第１の校正データを生成してもよい。
【００９７】
また、サーバ１０は、監視機器２０が生成した第１の校正データを、監視機器２０から受信してもよい。
【００９８】
また、サーバ１０は、監視機器２０から受信した新規電気機器の測定データ（波形データ）から抽出した新規機器データ（特徴量）、又は、監視機器２０から受信した新規機器データ（特徴量）を、自身で生成した第１の校正データ、又は、監視機器２０から受信した第１の校正データに基づいて校正してもよい。なお、当該変形例は、以下のすべての実施形態において適用可能である。
【００９９】
なお、第２の変形例を適用して、監視機器２０からサーバ１０に新規電気機器の測定データ（波形データ）が送信されることとした場合、第１の変形例で説明した各電気機器が取り得る複数の状態各々の特定、すなわち、波形データから消費電力値を算出する処理は、サーバ１０が行ってもよい。
【０１００】
＜第２の実施形態＞
まず、本実施形態の概要について説明する。本実施形態では、第１の実施形態で説明した手法でサーバ１０が教師データを生成した後、サーバ１０が生成した教師データを監視機器２０に返信する。そして、監視機器２０は、受信した教師データを保存するとともに、当該教師データに基づいて、新規電気機器の校正データを生成する。その後、監視機器２０は、受信した教師データに含まれる特徴量を、生成した校正データで校正し、保存してもよい。また、監視機器２０は、校正後の教師データを利用して、合算教師データ（図７、図１４等参照）を生成し、保存してもよい。以降、監視機器２０は、当該教師データ、校正データ、校正後の教師データ、合算教師データ等を利用して、複数の電気機器（既存電気機器及び新規電気機器を含む）の稼働状態を推定したり、新規機器データを抽出したりする。以下、詳細に説明する。
【０１０１】
図１６に、サーバ１０の機能ブロック図の一例を示す。図１６に示すように、サーバ１０は、受信部１１と、教師データ生成部１２と、教師データ保存部１３、送信部１４とを有する。受信部１１、教師データ生成部１２及び教師データ保存部１３の構成は、第１の実施形態と同様であるので、ここでの説明は省略する。
【０１０２】
送信部１４は、教師データ生成部１２により生成され、教師データ保存部１３に新たに登録された教師データを、監視機器２０に送信する。例えば、送信部１４は、新規電気機器の識別情報（電気機器ＩＤ）と、校正後の新規機器データ（特徴量）と、を対応付けてサーバ１０に送信してきた監視機器２０に、当該教師データを返信する。
【０１０３】
なお、第１の実施形態の変形例として説明したように、教師データ生成部１２が新規電気機器毎に複数の状態各々に対応した複数の教師データを生成する場合、各状態の教師データが同時に生成されるのでなく、順次生成される場合もある。いずれの場合であっても、送信部１４は、生成された複数の状態すべての教師データを監視機器２０に送信する。後者の場合、送信部１４は、新たな状態に対応した教師データが生成される毎に、その教師データを監視機器２０に送信（返信）してもよい。
【０１０４】
図１７に、監視機器２０の機能ブロック図の一例を示す。図１７に示すように、監視機器２０は、監視部２１と、校正データ生成部２２と、校正部２３と、受付部２４と、送信部２５と、機器側受信部２６とを有する。監視部２１、校正部２３、受付部２４及び送信部２５の構成は、第１の実施形態と同様であるので、ここでの説明は省略する。
【０１０５】
機器側受信部２６は、サーバ１０の送信部１４により送信されてきた新規電気機器の教師データを受信する。受信した教師データは、監視部２１及び校正データ生成部２２に入力される。
【０１０６】
校正データ生成部２２は、機器側受信部２６から入力された新規電気機器の教師データ及び、監視部２１により抽出された新規電気機器の新規機器データ（特徴量）に基づいて、新規電気機器の校正データを生成する。例えば、校正データ生成部２２は、予め定められた所定のアルゴリズムに従い、教師データに含まれる新規電気機器の特徴量と、監視部２１により抽出された新規電気機器の特徴量との差をなくすための校正データを生成する。校正データは、関数であってもよい。例えば、一方の特徴量に所定の係数を掛ける一次関数であってもよいし、二次以上の関数であってもよい。なお、校正データは、逆変換可能な関数であってもよい。このようにして生成された校正データは、監視部２１に入力される。
【０１０７】
なお、第１の実施形態の変形例として説明したように、教師データ生成部１２が新規電気機器毎に複数の状態各々に対応した複数の教師データを生成する場合、機器側受信部２６は、複数の状態各々に対応した複数の教師データを受信することになる。この場合、校正データ生成部２２は、受信した複数の状態各々に対応した複数の教師データの内、監視部２１により新規機器データとして特徴量を抽出された状態に対応した教師データを利用して、校正データを生成してもよい。
【０１０８】
図１８は、本実施形態の監視機器２０の処理の流れの一例を示すフローチャートである。
【０１０９】
送信部２５が、新規電気機器の校正後の新規機器データ（特徴量）と、識別情報（電気機器ＩＤ）とをサーバ１０に送信した後の所定のタイミングで、機器側受信部２６が新規電気機器の教師データを受信する（Ｓ５１）。
【０１１０】
すると、校正データ生成部２２は、監視部２１が抽出した新規電気機器の新規機器データ（特徴量）と、Ｓ５１で受信した教師データに含まれる新規電気機器の特徴量とに基づいて、校正データを生成する（Ｓ５２）。
【０１１１】
そして、Ｓ５１で受信された教師データと、Ｓ５２で生成された校正データとが対応付けて保存される（Ｓ５３）。以降、監視部２１は、当該教師データ及び校正データ等を利用して、複数の電気機器（既存電気機器及び新規電気機器を含む）の稼働状態を推定する。
【０１１２】
以上説明した本実施形態によれば、第１の実施形態と同様の作用効果を実現することができる。また、各監視機器２０がサーバ１０から教師データを受信し、監視単位に含まれる複数の電気機器（既存電気機器及び新規電気機器を含む）の稼働状態を推定することが可能となる。
【０１１３】
＜第３の実施形態＞
まず、本実施形態の概要について説明する。本実施形態では、第１の実施形態で説明した手法でサーバ１０が生成した教師データを仮の教師データとして、監視機器２０に返信する。監視機器２０は、受信した新規電気機器の仮の教師データと、監視部２１が抽出した新規電気機器の特徴量（新規機器データ）とに基づいて、仮の校正データを生成する。そして、監視機器２０は、監視部２１が抽出した新規機器データを仮の校正データで校正し、校正後の新規機器データをサーバ１０に送信する。サーバ１０は、受信した校正後の新規機器データに基づき、第１の実施形態で説明した手法と同様の手法で仮の教師データを生成する。そして、サーバ１０は、生成した仮の教師データを、監視機器２０に再び返信する。
【０１１４】
本実施形態では、上記処理を所定回数繰り返した後に得られる仮の教師データを、新規電気機器の教師データとして、教師データ保存部１３に登録する。その後、このようにして教師データ保存部１３に登録された新規電気機器の教師データに基づいて、第２の実施形態の処理を実行することができる。以下、詳細に説明する。
【０１１５】
図１９に、サーバ１０の機能ブロック図の一例を示す。図１９に示すように、サーバ１０は、受信部１１と、教師データ生成部１２と、教師データ保存部１３とを有する。そして、教師データ生成部１２は、第１部１２１と、第２部１２２と、第３部１２３とを有する。なお、サーバ１０は、さらに送信部１４を有してもよい。教師データ保存部１３及び送信部１４の構成は、第１及び第２の実施形態と同様であるので、ここでの説明は省略する。
【０１１６】
第１部１２１は、複数の監視機器２０各々から受信した新規電気機器の校正後の新規機器データに基づいて、新規電気機器の仮の特徴量を含む仮の教師データを生成する。第１部１２１は、第１の実施形態で説明した教師データ生成部１２が新規電気機器の教師データを生成する手法と同様の手法で、新規電気機器の教師データを生成する。そして、当該教師データを、仮の教師データとする。
【０１１７】
第２部１２２は、第１部１２１が生成した仮の教師データを監視機器２０に送信する。例えば、第２部１２２は、新規電気機器の識別情報（電気機器ＩＤ）と、校正後の新規機器データ（特徴量）と、を対応付けてサーバ１０に送信してきた監視機器２０に、仮の教師データを返信する。
【０１１８】
第３部１２３については、後で説明する。
【０１１９】
図１７に、監視機器２０の機能ブロック図の一例を示す。図１７に示すように、監視機器２０は、監視部２１と、校正データ生成部２２と、校正部２３と、受付部２４と、送信部２５と、機器側受信部２６とを有する。監視部２１及び受付部２４の構成は、第１及び第２の実施形態と同様であるので、ここでの説明は省略する。
【０１２０】
機器側受信部２６は、サーバ１０の第２部１２２が送信してきた仮の教師データを受信する。
【０１２１】
校正データ生成部２２は、機器側受信部２６が受信した仮の教師データに含まれる仮の特徴量と、監視部２１が抽出した新規機器データ（特徴量）とに基づいて、これらのデータ間の差を打ち消す第２の校正データを生成する。校正データの生成手法については、上述の例と同様であるので、ここでの説明は省略する。
【０１２２】
校正部２３は、校正データ生成部２２が生成した第２の校正データに基づいて、監視部２１が抽出した新規機器データを校正する。
【０１２３】
送信部２５は、新規電気機器の識別情報（電気機器ＩＤ）と、第２の校正データに基づいて校正された新規機器データ（特徴量）と、を対応付けて、サーバに送信する。
【０１２４】
図１９に戻り、サーバ１０の受信部１１は、新規電気機器の識別情報（電気機器ＩＤ）と、第２の校正データに基づいて校正された新規機器データ（特徴量）と、を複数の監視機器２０から受信する。
【０１２５】
第１部１２１は、複数の監視機器２０から受信した第２の校正データに基づいて校正された新規機器データ（特徴量）に基づいて、再び、仮の特徴量を含む仮の教師データを生成する。仮の教師データの生成手法については、上述の例と同様であるので、ここでの説明は省略する。
【０１２６】
そして、第２部１２２は、第１部１２１が生成した仮の教師データを再び監視機器２０に送信する。すると、監視機器２０の機器側受信部２６、校正データ生成部２２、校正部２３及び送信部２５は、上記と同様の処理を繰り返す。
【０１２７】
図１９に示す第３部１２３は、第１部１２１及び第２部１２２を制御し、仮の教師データを生成する処理、及び、仮の教師データを監視機器に送信する処理を繰り返し実行させる。そして、第３部１２３は、第１部１２１及び第２部１２２による上記処理を繰り返した後に得られた新規電気機器の仮の教師データを、新規電気機器の教師データとして決定し、教師データ保存部１３に登録する。
【０１２８】
例えば、第３部１２３は、仮の特徴量の変化量（例：直前の仮の特徴量との差分等）が所定の閾値以内に収まるまで、上記処理を繰り返してもよい。又は、予め定められた所定回数繰り返してもよい。さらには、予め定められた所定の期間繰り返してもよい。
【０１２９】
図２０は、本実施形態のサーバ１０及び監視機器２０の処理の流れの一例を示すシーケンス図である。Ｓ２２−１乃至Ｓ２２−８の処理は、図１２のＳ２２の処理時に行われる。
【０１３０】
サーバ１０は、複数の監視機器２０から第１の校正データ（第１の実施形態で説明済み）に基づいて校正された新規機器データ（特徴量）を受信すると、当該新規機器データに基づいて仮の特徴量を含む仮の教師データを生成する（Ｓ２２−１）。その後、サーバ１０は、Ｓ２２−１で生成した仮の教師データを、校正された新規機器データ（特徴量）を送信してきた監視機器２０に送信（返信）する（Ｓ２２−２）。
【０１３１】
監視機器２０は、受信した仮の教師データに含まれる仮の特徴量と、監視部２１が抽出した新規機器データ（特徴量）とに基づいて、第２の校正データを生成する（Ｓ２２−３）。そして、監視機器２０は、生成した第２の校正データに基づいて、監視部２１が抽出した新規機器データ（特徴量）を校正する（Ｓ２２−４）。その後、監視機器２０は、第２の校正データに基づいて校正した新規機器データ（特徴量）を、サーバ１０に送信する（Ｓ２２−５）。
【０１３２】
サーバ１０は、複数の監視機器２０から第２の校正データに基づいて校正された新規機器データ（特徴量）を受信すると、当該新規機器データに基づいて仮の特徴量を含む仮の教師データを生成する（Ｓ２２−６）。その後、サーバ１０は、上記処理を繰り返すか判断する。繰り返すと判断した場合（Ｓ２２−７のＹｅｓ）、Ｓ２２−２に戻り処理を繰り返す。一方、それ以上繰り返さないと判断すると（Ｓ２２−７のＮｏ）、Ｓ２２−８に進む。
【０１３３】
Ｓ２２−８では、サーバ１０は、最後に生成された仮の教師データを、その新規電気機器の教師データとして決定し、教師データ保存部１３に登録する。このようにして、教師データ保存部１３に教師データが登録された後、第２の実施形態で説明した処理を実行することができる。
【０１３４】
以上説明した本実施形態によれば、第１及び第２の実施形態と同様の作用効果を実現することができる。また、本実施形態によれば、仮の教師データ、及び、仮の校正データを生成する処理を繰り返すことで、校正データを最適化することができる。
【０１３５】
なお、本実施形態の変形例として、「仮の教師データと、新規機器データとに基づいて、これらのデータ間の差を打ち消す第２の前記校正データを生成する処理」、及び、「第２の校正データに基づいて、新規機器データを校正する処理」の少なくとも一方を、サーバ１０が行ってもよい。
【０１３６】
＜第４の実施形態＞
まず、本実施形態の概要について説明する。本実施形態では、監視機器２０は、第１の実施形態で説明した手法で新規機器データ（特徴量）を抽出した後、当該新規電気機器の教師データがサーバ１０にすでに保存されているか否かを、サーバ１０に問い合わせる。そして、問い合わせの結果に応じて、処理内容を変更する。
【０１３７】
図２１に監視機器２０の機能ブロック図の一例を示す。図２１に示すように、監視機器２０は、監視部２１と、校正データ生成部２２と、校正部２３と、受付部２４と、送信部２５と、問合部２７と、登録処理制御部２８とを有する。監視機器２０は、さらに、機器側受信部２６を有してもよい。監視部２１、校正データ生成部２２、校正部２３、受付部２４、送信部２５及び機器側受信部２６の構成は、第１乃至第３の実施形態と同様であるので、ここでの説明は省略する。
【０１３８】
問合部２７は、監視部２１により新規電気機器の新規機器データが抽出されると、新規電気機器の教師データが教師データ保存部１３にすでに保存されているか否かを、サーバ１０に問い合わせる。例えば、問合部２７は、校正部２３により第１の校正データを利用して校正された後の新規機器データをサーバ１０に送信し、これとマッチングする特徴量を対応付けられた教師データがすでに教師データ保存部１３に保存されているか問い合わせてもよい。又は、問合部２７は、受付部２４が受付けた新規電気機器の識別情報（電気機器ＩＤ）をサーバ１０に送信し、当該電気機器ＩＤを対応付けられた教師データがすでに教師データ保存部１３に保存されているか問い合わせてもよい。
【０１３９】
サーバ１０は、当該問い合わせを受信すると、教師データ保存部１３を検索し、検索結果（「保存されている」又は「保存されていない」又は、「保存されているがデータが不十分」）を返信する。「不十分なデータ」とは、例えば第３の実施形態で説明した第３部１２３が、第３の実施形態で説明した繰り返し処理をまだ繰り返すと判断する状態のデータである。例えば、仮の特徴量の変化量（例：直前の仮の特徴量との差分等）が所定の閾値以内に収まっていないデータ、予め定められた所定回数繰り返していないデータ、予め定められた所定の期間繰り返していないデータなどである。
【０１４０】
サーバ１０からの回答が「保存されていない」又は「保存されているがデータが不十分」であった場合、登録処理制御部２８は、送信部２５による新規電気機器の識別情報（電気機器ＩＤ）と、第１の校正データに基づいて校正された新規機器データと、を対応付けてサーバ１０に送信する処理が実行されるように、校正データ生成部２２、校正部２３、受付部２４及び送信部２５を制御する。
【０１４１】
一方、サーバ１０からの回答が「保存されている」であった場合、登録処理制御部２８は、サーバ１０に当該電気機器の教師データを要求し、受信する。そして、受信した教師データを監視部２１及び校正データ生成部２２に入力する。校正データ生成部２２は、入力された教師データ及び監視部２１が抽出した新規機器データ（特徴量）に基づいて校正データを生成し、監視部２１に入力する。監視部２１は、以降、入力された教師データ及び校正データを利用して、監視対象に含まれる電気機器（既存電気機器及び新規電気機器を含む）の稼働状態を推定する。
【０１４２】
また、サーバ１０からの回答が「保存されている」であった場合、登録処理制御部２８は、送信部２５による新規電気機器の識別情報（電気機器ＩＤ）と、第１の校正データに基づいて校正された新規機器データと、を対応付けてサーバ１０に送信する処理が実行されないように、校正データ生成部２２、校正部２３、受付部２４及び送信部２５の少なくとも１つを制御する。校正データ生成部２２による第１の校正データを生成する処理、校正部２３による第１の校正データに基づいて新規機器データを校正する処理、及び、受付部２４による新規電気機器の識別情報（電気機器ＩＤ）の入力を受付ける処理の中の少なくとも１つが実行されなかった場合、送信部２５がサーバ１０に送信する情報が揃わない。このため、送信部２５による処理は実行されない。また、送信部２５がサーバ１０に送信する情報が揃っても、送信部２５を制御して当該情報をサーバ１０に送信させなければ、送信部２５がサーバ１０に所定の情報を送信する処理が実行されない。登録処理制御部２８は、いずれの手法で当該制御を実現してもよい。
【０１４３】
図２２は、本実施形態の監視機器２０の処理の流れの一例を示すフローチャートである。
【０１４４】
監視部２１が新規機器データ（新たに監視単位に設置された電気機器の特徴量）を抽出すると（Ｓ３１のＹｅｓ）、以降の処理がスタートする。監視部２１が新規機器データを抽出しない間（Ｓ３１のＮｏ）、待ち状態となる。
【０１４５】
監視部２１が新規機器データを抽出すると（Ｓ３１のＹｅｓ）、校正データ生成部２２が第１の校正データを生成する（Ｓ３２）。そして、校正部２３は、Ｓ３２で生成された第１の校正データを利用して、Ｓ３１で抽出された新規機器データを校正する（Ｓ３３）。その後、問合部２７は、校正後の新規機器データ（特徴量）をサーバ１０に送信し、当該新規機器データの教師データがすでに教師データ保存部１３に保存されているか問い合わせる（Ｓ３４）。
【０１４６】
サーバ１０は、受信した校正後の新規機器データ（特徴量）をキーとして教師データ保存部１３を検索する。マッチングする特徴量を対応付けられた教師データが見つかった場合、サーバ１０は、「保存されている」ことを示す回答を、監視機器２０に返信する。一方、マッチングする特徴量を対応付けられた教師データが見つからなかった場合、サーバ１０は、「保存されていない」もしくは「保存されているがデータが不十分である」ことを示す回答を、監視機器２０に返信する。
【０１４７】
サーバ１０からの回答が「保存されている」ことを示すものであった場合（Ｓ３５のＹｅｓ）、登録処理制御部２８はサーバ１０にその教師データを要求し、その教師データを受信する（Ｓ３６）。その後、校正データ生成部２２は、Ｓ３６で受信された教師データ、及び、Ｓ３１で抽出された新規機器データに基づいて、校正データを生成する（Ｓ３７）。そして、Ｓ３６で受信された教師データ、及び、Ｓ３７で生成された校正データが対応付けて監視部２１に登録される。以降、監視部２１は、新たに登録された教師データ及び校正データを利用して、監視単位に含まれる電気機器（既存電気機器及び新規電気機器を含む）の稼働状態を推定する。
【０１４８】
また、登録処理制御部２８は、送信部２５による新規電気機器の識別情報（電気機器ＩＤ）と、第１の校正データに基づいて校正された新規機器データと、を対応付けてサーバ１０に送信する処理が実行されないように、受付部２４及び送信部２５の少なくとも１つを制御する。
【０１４９】
一方、サーバ１０からの回答が「保存されていない」もしくは「保存されているがデータが不十分である」ことを示すものであった場合（Ｓ３５のＮｏ）、受付部２４は、新規電気機器の識別情報（電気機器ＩＤ）の入力を受付ける（Ｓ３９）。そして、送信部２５は、Ｓ３３で校正された校正後の新規機器データと、Ｓ３９で受付けた新規電気機器の識別情報（電気機器ＩＤ）とを対応付けて、サーバ１０に送信する（Ｓ４０）。
【０１５０】
なお、上記の変形例として、Ｓ３２及びＳ３３の代わりに、「受付部２４が新規電気機器の識別情報（電気機器ＩＤ）の入力を受付ける処理」を実行してもよい。そして、Ｓ３４で、問合部２７は、受付部２４が受付けた電気機器ＩＤをサーバ１０に送信し、電気機器ＩＤに対応する教師データがすでに教師データ保存部１３に保存されているか問い合わせてもよい。
【０１５１】
そして、サーバ１０からの回答が「保存されている」ことを示すものであった場合（Ｓ３５のＹｅｓ）、登録処理制御部２８は、送信部２５による新規電気機器の識別情報（電気機器ＩＤ）と、第１の校正データに基づいて校正された新規機器データと、を対応付けてサーバ１０に送信する処理が実行されないように、校正データ生成部２２、校正部２３及び送信部２５の少なくとも１つを制御してもよい。
【０１５２】
また、サーバ１０からの回答が「保存されていない」もしくは「保存されているがデータが不十分である」ことを示すものであった場合（Ｓ３５のＮｏ）、その後に、校正データ生成部２２が第１の校正データを生成し、校正部２３が第１の校正データに基づいて新規機器データを校正してもよい。
【０１５３】
以上説明した本実施形態によれば、第１乃至第３の実施形態と同様の作用効果を実現することができる。
【０１５４】
また、監視単位に新たに追加された新規電気機器が発売日からすでにある程度の時間が経過している場合、その電気機器の教師データは、すでにサーバ１０に登録されている可能性が高い。このような場合に、サーバ１０と監視機器２０の間で、第１の校正データに基づいた校正後の新規機器データと識別情報の送受信や、仮の教師データの送受信や、第２の校正データに基づいた校正後の新規機器データの送受信等を実行してしまうと、サーバ１０や監視機器２０に不要な処理負担を課すことになり、好ましくない。本実施形態では、これらの処理を実行する前に、ある監視単位で特定された新規電気機器の教師データがすでにサーバ１０に登録されているか否か確認し、確認結果に応じて、処理内容を変更できる。このため、サーバ１０や監視機器２０が不要な処理を実行する不都合を軽減することができる。
【０１５５】
ここで、第１乃至第４の実施形態の監視機器２０で推定された結果（電気機器の稼働状態の推定結果）に基づいて実現されるサービスの例を説明する。
【０１５６】
例えば、節電のためのアドバイスを行うことができる。第１乃至第４の実施形態の監視機器２０によれば、１日（０時から２４時）における電気機器の稼動状態の時間変化が確認できる。このような出力に基づいて、電気機器の使用が多い時間帯等を特定し、その時間における使用を意識的に減らすなどのアドバイスを行うことができる。
【０１５７】
その他の例として、電気機器のメンテナンス（例：エアコンの掃除）のタイミングを通知することができる。第１乃至第４の実施形態の監視機器２０によれば、推定結果を蓄積していくことで、各電気機器の累積稼働時間を算出することができる。例えば、累積時間が所定の値となったタイミングで、メンテナンスを促す通知を行うことができる。また、電気機器の故障や一部部品の経年劣化により、消費電流、消費電力、電圧や、測定特徴量などが変化しうる。そこで、例えば、このような変化を検知すると、メンテナンスを促す通知を行うことができる。
【０１５８】
その他の例として、冷蔵庫の使用に関するアドバイスを行うことができる。冷蔵庫は、その内部への積み込み状態に応じて、消費電流、消費電力、電圧、測定特徴量などが変化しうる。第１乃至第４の実施形態の監視機器２０によれば、このような変化を検知することができる。この変化に基づいて、詰め込みすぎの警告や、内部の物が少なくなっているので備蓄を増やす催促などを通知することができる。
【０１５９】
その他の例として、第１乃至第４の実施形態の監視機器２０によれば、過去の推定結果の履歴と比較することで、電気機器の使用パターンがいつもと異なるか否かを検知することができる。電気機器の使用パターンがいつもと異なった場合、サービス受領者（電気機器の使用者）に何らかの変化（例：病気、事件に巻き込まれた等）が生じている可能性がある。そこで、このような場合、予め登録していた連絡先に警告を通知することができる。
【０１６０】
その他の例として、第１乃至第４の実施形態の監視機器２０とサーバ１０によれば、電気機器の使用パターン（例：１日の中の使用パターン）に基づいて、ユーザの生活リズム等を推定することができる。そこで、不規則な生活リズム（例：夜中の活動が多い（夜中に多くの電気機器を使用）、昼間の活動と夜中の活動が不規則に現れる等）のユーザに対して、サーバ１０に保存された規則的な生活リズムを持つユーザの生活リズムを参考にしながら、具体的な生活リズムの改善方法を提案することができる。
【０１６１】
以下、参考形態の例を付記する。
１．  複数の監視機器と、複数の前記監視機器各々と通信するサーバと、を有し、
前記監視機器は、
消費電流、消費電力及び入力電圧の中の少なくとも１つの測定データと、複数の既存電気機器各々の稼働時の特徴量を含む教師データと、複数の前記既存電気機器各々の設置環境に起因して前記測定データに現れる変動を校正するための前記既存電気機器毎の校正データと、に基づいて、前記測定データの中から、前記既存電気機器と異なる新規電気機器の前記特徴量を含む新規機器データを抽出する監視手段と、
前記既存電気機器の前記校正データに基づいて、前記新規電気機器の第１の前記校正データを生成する校正データ生成手段と、
前記第１の校正データに基づいて、前記新規機器データを校正する校正手段と、
前記新規電気機器の識別情報の入力を受付ける受付手段と、
前記新規電気機器の前記識別情報と、前記第１の校正データに基づいて校正された前記新規機器データと、を対応付けて、前記サーバに送信する送信手段と、
を有し、
前記サーバは、
複数の前記監視機器から、前記新規電気機器の校正後の前記新規機器データと、前記識別情報とを受信する受信手段と、
複数の前記監視機器各々から受信した前記新規電気機器の校正後の前記新規機器データに基づいて、前記新規電気機器の前記教師データを生成し、教師データ保存手段に登録する教師データ生成手段と、
を有する監視システム。
２．  １に記載の監視システムにおいて、
前記教師データ生成手段は、
複数の前記監視機器各々から受信した前記新規電気機器の校正後の前記新規機器データに基づいて、前記新規電気機器の仮の特徴量を含む仮の教師データを生成する第１手段と、
前記仮の教師データを前記監視機器に送信する第２手段と、
を有し、
前記監視機器は、前記仮の教師データを受信する機器側受信手段をさらに有し、
前記校正データ生成手段は、前記仮の教師データと、前記新規機器データとに基づいて、これらのデータ間の差を打ち消す第２の前記校正データを生成し、
前記校正手段は、前記第２の校正データに基づいて、前記新規機器データを校正し、
前記送信手段は、前記新規電気機器の前記識別情報と、前記第２の校正データに基づいて校正された前記新規機器データと、を対応付けて、前記サーバに送信する監視システム。
３．  ２に記載の監視システムにおいて、
前記教師データ生成手段は、
前記第１手段及び前記第２手段を制御し、前記仮の教師データを生成する処理、及び、前記仮の教師データを前記監視機器に送信する処理を繰り返し実行させる第３手段をさらに有する監視システム。
４．  ３に記載の監視システムにおいて、
前記第３手段は、前記第１手段及び前記第２手段による前記処理を繰り返した後に得られた前記新規電気機器の前記仮の教師データを、前記新規電気機器の前記教師データとして決定する監視システム。
５．  １から５のいずれかに記載の監視システムにおいて、
前記監視手段は、前記測定データと、前記教師データと、前記校正データと、に基づいて、複数の前記既存電気機器の稼働状態を推定するとともに、前記新規機器データを抽出する監視システム。
６．  ５に記載の監視システムにおいて、
前記サーバは、
前記新規電気機器の前記教師データを前記監視機器に送信する送信手段をさらに有し、
前記校正データ生成手段は、前記新規電気機器の前記教師データと、前記新規機器データとに基づいて、これらのデータ間の差を打ち消す第３の前記校正データを生成し、
前記監視手段は、さらに、前記新規電気機器の前記教師データと、前記第３の校正データとに基づいて、複数の前記既存電気機器及び前記新規電気機器の稼働状態を推定する監視システム。
７．  １から６のいずれかに記載の監視システムにおいて、
前記監視機器は、
前記新規電気機器の前記新規機器データを抽出すると、前記新規電気機器の前記教師データが前記教師データ保存手段に保存されているか否かを前記サーバに問い合わせる問合手段と、
前記問い合わせの結果が、保存されていない、であった場合、前記送信手段による前記新規電気機器の前記識別情報と、前記第１の校正データに基づいて校正された前記新規機器データと、を対応付けて前記サーバに送信する処理が実行されるように制御する登録処理制御手段と、
をさらに有する監視システム。
８．  １から７のいずれかに記載の監視システムにおいて、
前記監視機器は、
前記新規電気機器の前記新規機器データを抽出すると、前記新規電気機器の前記教師データが前記教師データ保存手段に保存されているか否かを前記サーバに問い合わせる問合手段と、
前記問い合わせの結果が、保存されている、であった場合、前記サーバから前記新規電気機器の前記教師データを受信するとともに、前記送信手段による前記新規電気機器の前記識別情報と、前記第１の校正データに基づいて校正された前記新規機器データと、を対応付けて前記サーバに送信する処理が実行されないように制御する登録処理制御手段と、
をさらに有する監視システム。
９．  消費電流、消費電力及び入力電圧の中の少なくとも１つの測定データと、複数の既存電気機器各々の稼働時の特徴量を含む教師データと、複数の前記既存電気機器各々の設置環境に起因して前記測定データに現れる変動を校正するための前記既存電気機器毎の校正データと、に基づいて、前記測定データの中から、前記既存電気機器と異なる新規電気機器の前記特徴量を含む新規機器データを抽出する監視手段と、
前記既存電気機器の前記校正データに基づいて、前記新規電気機器の第１の前記校正データを生成する校正データ生成手段と、
前記第１の校正データに基づいて、前記新規機器データを校正する校正手段と、
前記新規電気機器の識別情報の入力を受付ける受付手段と、
前記新規電気機器の前記識別情報と、前記第１の校正データに基づいて校正された前記新規機器データと、を対応付けて、サーバに送信する送信手段と、
を有する監視機器。
１０．  複数の監視機器から、消費電流、消費電力及び入力電圧の中の少なくとも１つの測定データの中から抽出された新規電気機器の特徴量を含み、前記新規電気機器の設置環境に起因して前記測定データに現れる変動を校正した後の新規機器データと、前記新規電気機器の識別情報とを受信する受信手段と、
複数の前記監視機器各々から受信した前記新規電気機器の校正後の前記新規機器データに基づいて、前記新規電気機器の前記教師データを生成し、教師データ保存手段に登録する教師データ生成手段と、
を有するサーバ。
１１．  コンピュータを、
消費電流、消費電力及び入力電圧の中の少なくとも１つの測定データと、複数の既存電気機器各々の稼働時の特徴量を含む教師データと、複数の前記既存電気機器各々の設置環境に起因して前記測定データに現れる変動を校正するための前記既存電気機器毎の校正データと、に基づいて、前記測定データの中から、前記既存電気機器と異なる新規電気機器の前記特徴量を含む新規機器データを抽出する監視手段、
前記既存電気機器の前記校正データに基づいて、前記新規電気機器の第１の前記校正データを生成する校正データ生成手段、
前記第１の校正データに基づいて、前記新規機器データを校正する校正手段、
前記新規電気機器の識別情報の入力を受付ける受付手段、
前記新規電気機器の前記識別情報と、前記第１の校正データに基づいて校正された前記新規機器データと、を対応付けて、サーバに送信する送信手段、
として機能させるためのプログラム。
１２．  コンピュータを、
複数の監視機器から、消費電流、消費電力及び入力電圧の中の少なくとも１つの測定データの中から抽出された新規電気機器の特徴量を含み、前記新規電気機器の設置環境に起因して前記測定データに現れる変動を校正した後の新規機器データと、前記新規電気機器の識別情報とを受信する受信手段、
複数の前記監視機器各々から受信した前記新規電気機器の校正後の前記新規機器データに基づいて、前記新規電気機器の前記教師データを生成し、教師データ保存手段に登録する教師データ生成手段、
として機能させるためのプログラム。
１３．  コンピュータが、
消費電流、消費電力及び入力電圧の中の少なくとも１つの測定データと、複数の既存電気機器各々の稼働時の特徴量を含む教師データと、複数の前記既存電気機器各々の設置環境に起因して前記測定データに現れる変動を校正するための前記既存電気機器毎の校正データと、に基づいて、前記測定データの中から、前記既存電気機器と異なる新規電気機器の前記特徴量を含む新規機器データを抽出する監視工程と、
前記既存電気機器の前記校正データに基づいて、前記新規電気機器の第１の前記校正データを生成する校正データ生成工程と、
前記第１の校正データに基づいて、前記新規機器データを校正する校正工程と、
前記新規電気機器の識別情報の入力を受付ける受付工程と、
前記新規電気機器の前記識別情報と、前記第１の校正データに基づいて校正された前記新規機器データと、を対応付けて、サーバに送信する送信工程と、
を実行する監視機器の動作方法。
１４．  コンピュータが、
複数の監視機器から、消費電流、消費電力及び入力電圧の中の少なくとも１つの測定データの中から抽出された新規電気機器の特徴量を含み、前記新規電気機器の設置環境に起因して前記測定データに現れる変動を校正した後の新規機器データと、前記新規電気機器の識別情報とを受信する受信工程と、
複数の前記監視機器各々から受信した前記新規電気機器の校正後の前記新規機器データに基づいて、前記新規電気機器の前記教師データを生成し、教師データ保存手段に登録する教師データ生成工程と、
を実行するサーバの動作方法。
【０１６２】
この出願は、２０１４年５月２９日に出願された日本出願特願２０１４−１１１３３１号を基礎とする優先権を主張し、その開示の全てをここに取り込む。
【図１】
0006597606.tif 000002
【図２】
0006597606.tif 000003
【図３】
0006597606.tif 000004
【図４】
0006597606.tif 000005
【図５】
0006597606.tif 000006
【図６】
0006597606.tif 000007
【図７】
0006597606.tif 000008
【図８】
0006597606.tif 000009
【図９】
0006597606.tif 000010
【図１０】
0006597606.tif 000011
【図１１】
0006597606.tif 000012
【図１２】
0006597606.tif 000013
【図１３】
0006597606.tif 000014
【図１４】
0006597606.tif 000015
【図１５】
0006597606.tif 000016
【図１６】
0006597606.tif 000017
【図１７】
0006597606.tif 000018
【図１８】
0006597606.tif 000019
【図１９】
0006597606.tif 000020
【図２０】
0006597606.tif 000021
【図２１】
0006597606.tif 000022
【図２２】
0006597606.tif 000023
【図２３】
0006597606.tif 000024